(57)【要約】【課題】汎用性が高く、低コストにて製造することができるハンガーを提供すること。【解決手段】相互に所定の角度を成して係合し頂角部を形成する２辺で構成された洋服の肩部分を掛ける肩掛け部と、上記各肩掛け部の上記頂角部から所定の距離だけそれぞれ離れた各箇所を相互に連結する連結部と、上記頂角部から上記連結部側とは反対方向に突出して他の部材に引っ掛けるフック部と、を備える。そして、上記連結部に、上記頂角部とは反対側に開口し、この開口部分に挿入された椅子の背もたれの上端部に設けられた所定の部材を挟持する挟持部を設けた。【選択図】図１
0003153967.tif 000002
【実用新案登録請求の範囲】
【請求項１】
相互に所定の角度を成して係合し頂角部を形成する２辺で構成された洋服の肩部分を掛ける肩掛け部と、前記各肩掛け部の前記頂角部から所定の距離だけそれぞれ離れた各箇所を相互に連結する連結部と、前記頂角部から前記連結部側とは反対方向に突出して他の部材に引っ掛けるフック部と、を備え、
前記連結部に、前記頂角部とは反対側に開口し、この開口部分に挿入された椅子の背もたれの上端部に設けられた所定の部材を挟持する挟持部を設けた、
ハンガー。
【請求項２】
請求項１に記載のハンガーであって、
前記挟持部は、略Ｕ字形状のバネである、
ハンガー。
【請求項３】
請求項１又は２に記載のハンガーであって、
前記挟持部の開口部分の最大開口幅は、所定の椅子の背もたれの厚みよりも狭く形成されている、
ハンガー。
【請求項４】
請求項１乃至３のいずれか一項に記載のハンガーであって、
前記連結部に、当該連結部から前記頂角部側に突出する突出部を備えると共に、
前記突出部の突出端に前記挟持部を設けた、
ハンガー。
【請求項５】
請求項４記載のハンガーであって、
前記突出部は、曲折可能な柔軟性のある部材にて形成されている、
ハンガー。
【考案の詳細な説明】
【技術分野】
【０００１】
本考案は、ハンガーにかかり、特に、洋服等を掛けるハンガーに関する。
【背景技術】
【０００２】
一般的な洋服等を掛けるハンガーは、９０度以上に広がった頂角を挟んで山型に形成された２辺と、この２辺の各端部を連結する底辺と、を有する略二等辺三角形状に形成されている。また、頂角部分には、外側つまり底辺に対して垂直かつ反対方向に突出する円弧状のフックが取り付けられており、ロッカーなどのパイプに吊り下げることができる。そして、洋服の肩部分を、ハンガーの頂角を挟む２辺に掛けて使用する。
【０００３】
ここで、背広などの上着を着ている人が椅子に座る際には、椅子の背もたれや座面で上着にしわが入ってしまうことを防止すべく、上着を脱いで椅子の背もたれに掛けることがある。あるいは、単に脱いだ上着を掛けるところがない場合に、当該上着を椅子の背もたれに掛けることがある。ところが、椅子の背もたれに上着を掛けた状態で着座した人が背もたれにもたれかかると、人の背中と椅子の背もたれの間に挟まれて、上着の襟部分にしわが入ってしまうことがある。また、椅子の背もたれに掛けた上着の裾が床面に接する場合があり、上着の裾が汚れてしまうことがある。
【先行技術文献】
【特許文献】
【０００４】
【特許文献１】実開平５−９３５２号公報
【考案の概要】
【考案が解決しようとする課題】
【０００５】
ここで、特許文献１には、椅子に掛けることが可能なハンガーが開示されている。しかしながら、この文献に記載のハンガーは、椅子の背もたれに装着して使用することを前提とした構成を採っているため、汎用性が乏しく、コストが増大となる、という問題が生じる。
【０００６】
このため、本考案の目的は、上述した課題である、汎用性が高く、低コストにて製造することができるハンガーを提供することにある。
【課題を解決するための手段】
【０００７】
かかる目的を達成するため本考案の一形態であるハンガーは、
相互に所定の角度を成して係合し頂角部を形成する２辺で構成された洋服の肩部分を掛ける肩掛け部と、上記各肩掛け部の上記頂角部から所定の距離だけそれぞれ離れた各箇所を相互に連結する連結部と、上記頂角部から上記連結部側とは反対方向に突出して他の部材に引っ掛けるフック部と、を備えている。
そして、上記連結部に、上記頂角部とは反対側に開口し、この開口部分に挿入された椅子の背もたれの上端部に設けられた所定の部材を挟持する挟持部を設けた、という構成を採っている。
【考案の効果】
【０００８】
本考案は、以上のように構成されることにより、低コストで汎用性の高いハンガーを提供することができる。
【図面の簡単な説明】
【０００９】
【図１】実施形態１におけるハンガーの構成を示す図である。
【図２】図１に開示したハンガーを椅子の背もたれに装着した時の様子を示す断面図である。
【図３】図１に開示したハンガーを椅子の背もたれに装着した時の様子を示す図である。
【図４】実施形態２におけるハンガーの構成を示す図である。
【図５】図４に開示したハンガーを椅子の背もたれに装着した時の様子を示す断面図である。
【考案を実施するための形態】
【００１０】
＜実施形態１＞
本考案の第１の実施形態を、図１乃至図３を参照して説明する。図１は、ハンガーの構成を示す図である。図２乃至図３は、ハンガーを椅子の背もたれに装着した時の様子を示す図である。
【００１１】
本実施形態におけるハンガー１は、図１に示すように、頂角が９０度以上に広がって形成された略二等辺三角形状のハンガー本体２と、頂角部２４から上方に突出したフック部３と、を備えている。
【００１２】
具体的に、略二等辺三角形状のハンガー本体２は、樹脂や木、金属などで一体的に形成されており、所定の厚みを有して形成されている。そして、頂角部２４を挟んで相互に山型に係合したほぼ同一長さの２辺部分（符号２１，２２）が、洋服の肩部分を掛ける肩掛け部２１，２２として機能する。また、各肩掛け部２１，２２の係合箇所（頂角部２４）とは反対側の各端部は、略二等辺三角形状の底辺部分に位置する連結部２３にて連結されている。
【００１３】
なお、ハンガー本体２は、必ずしも二等辺三角形状に形成されていることに限定されない。例えば、連結部２３は、各肩掛け部２１，２２の各端部間を連結するのではなく、頂角部２４から所定の距離だけ離れた各箇所を連結するよう構成されていてもよい。
【００１４】
また、フック部３は、ハンガー本体２の各肩掛け部２１，２２の間に位置する頂角部２４から、ハンガー本体２の外側、つまり、連結部２３側とは反対方向であり、当該連結部２３に対してほぼ垂直方向に突出して設けられている。このフック部３は、円弧状に形成されており、パイプなどに引っ掛けて、ハンガー本体２を吊り下げることができる。
【００１５】
さらに、本実施形態におけるハンガー１の連結部３には、２つの挟持部４が備えられている。この挟持部４は、所定の幅を有する略Ｕ字状のバネにて形成されており、相互に対向する各平面部４１，４２で、曲折部分に生じるバネ力にて物を挟持することができる。そして、挟持部４であるＵ字型バネは、その開口部分に連結部２３が挿入されるよう配置される。つまり、挟持部４であるＵ字型バネの両端部が下方を向いて、各平面部４１，４２の間に連結部２３が位置するよう配置されている。そして、挟持部４であるＵ字型バネの一方の平面部４１の内面が、連結部２３に固着されている（図２（Ｂ）参照）。逆に、他方の平面部４２は、連結部２３に固着されておらず、当該連結部２３に接した状態となっている。そして、他方の平面部４２を連結部２３から離間させる力を付勢すると、曲折部分のバネ力にて、Ｕ字型バネ自体が元の形状に戻るよう、他方の平面部４２が連結部２３側に移動する力が生じる。
【００１６】
次に、上記ハンガー１を椅子に装着するときの様子を、図２を参照して説明する。まず、椅子の背もたれ５が、図２（Ａ）に示すように、背面側に位置する硬い樹脂層５１と、表面側に位置する柔らかいスポンジ層５２との２層で構成されていることとする。また、椅子の背もたれ５の上端部に、樹脂層５１とスポンジ層５２との境界（図２（Ａ）の点線矢印参照）が露出していることとする。なお、本実施形態では、樹脂層５１を形成する面が、水平方向に対して垂直方向に立設した状態であることとする。
【００１７】
そして、図２（Ｂ）に示すように、上記椅子の背もたれ５の樹脂層５１とスポンジ層５２との境界部分に、上述したハンガー１の挟持部４であるＵ字型バネの連結部２３に固着していない他方の平面部４２を、下方に向かって差し込む。すると、挟持部４であるＵ字型バネの一方の平面部４１と他方の平面部４２との間に、当該Ｕ字型バネのバネ力にて、背もたれ５の樹脂層５１が挟持された状態となる。そして、挟持部４であるＵ時型バネの一方の平面部４１は、ハンガー本体２の連結部２３と固着しているため、これにより、ハンガー１自体を椅子の背もたれ５に装着することができる。すると、図３に示すように、ハンガー１の連結部２３部分が背もたれ５の上端付近に位置し、肩掛け部２１，２２がその上方に位置する。これにより、肩掛け部２１，２２に洋服の肩部分を掛けることができる。
【００１８】
以上のように本実施形態におけるハンガー１によると、まず、フック部３をクローゼット内などに設けられたパイプに引っ掛けることで、吊り下げて利用することができる。そして、さらに、本実施形態では、挟持部４の一端を椅子の背もたれ５に差し込むことで、フック部６を上方に位置させて、背もたれ５にハンガー１を立設した状態で装着することができる。従って、人が椅子に座る前に、着ていた洋服を背もたれ５に装着されたハンガー１に掛けることができる。そして、椅子に装着されたハンガー１に洋服が掛けてあり、椅子に座っている人が背もたれ５にもたれかかった場合であっても、ハンガー１に掛けてある洋服に人がもたれかかることはなく、洋服にしわが入ることを抑制することができる。また、椅子の背もたれよりも高い位置に上着を掛けることができるため、上着の裾が床面に接することを抑制でき、当該裾が汚れることを抑制することができる。
【００１９】
また、本実施形態におけるハンガー１は、上述した構成にすることで非常に簡素であり、また、２通りの方法で利用することができるため、低コストで製造することができ、汎用性、利便性の向上を図ることができる。
【００２０】
ここで、上記挟持部４であるＵ字型バネの開口部分の開口幅は、例えば、最大で３ｍｍ〜１０ｍｍ程度である。つまり、Ｕ字型バネの最大開口幅は、上述したようにハンガー１を装着する椅子の背もたれ５の厚みよりも狭く形成されており、２層構造の椅子の背もたれ５の樹脂層５１のみが挿入可能に開口するよう設定されている。但し、挟持部４であるＵ字型バネの開口幅は、さらに大きくてもよい。例えば、椅子の背もたれ５自体を挟持可能なまでに開いてもよく、この場合には、挟持部４が背もたれ５の上端部自体を挟持することで、ハンガー１を背もたれ５に装着することができる。さらに、挟持部４は、椅子の背もたれ５の上端部自体を挟持することに限定されず、当該背もたれ５の上端部に設けられた他の部材を挟持して、ハンガー１を背もたれ５に装着してもよい。
【００２１】
なお、上記では、ハンガー１を装着する椅子の背もたれ５の一例として、硬い樹脂層５１と柔らかいスポンジ層５２との２層で構成されている場合を例示したが、椅子の背もたれ５は上記構成に限定されない。背もたれ５は、いかなる材質の２層構造やさらに多くの多層構造にて構成されていてもよく、各層間に挟持部４を介挿させることで、ハンガー１を椅子の背もたれ５に装着することができる。また、椅子の背もたれ５は、挟持部４を各層間に介挿することができない多層構造であってもよく、さらには、そもそも挟持部４を介挿する箇所がない単層構造であってもよい。このような場合には、上述したように、背もたれ５の上端部自体あるいは上端部に設けられた他の部材を挟持部４で挟持することで、ハンガー１を椅子の背もたれ５に装着可能である。
【００２２】
また、上記では、上記挟持部４の一例としてＵ字型バネを例示したが、これに限定されない。挟持部４は、椅子の背もたれ５の上端部自体や当該上端部に設けられた他の部材を挟持できる構造のものであれば、いかなる構成であってもよい。
【００２３】
＜実施形態２＞
本考案の第２の実施形態を、図４乃至図５を参照して説明する。図４は、ハンガーの構成を示す図である。図５は、ハンガーを椅子の背もたれに装着した時の様子を示す図である。
本実施形態におけるハンガー１は、上述した実施形態１と同様、図４に示すように、略二等辺三角形状のハンガー本体２と、頂角部２４から上方に突出したフック部３と、を備えている。なお、これらの構成は実施形態１のものと同一であるため、その詳細な説明は省略する。
【００２４】
そして、本実施形態では、ハンガー本体２を構成する連結部２３に、当該連結部２３からハンガー本体２の内部側、つまり、頂角部２４側に突出する突出部６を備えている。具体的に、突出部６は、略長方形の板部材であり、一方の長辺側が連結部２３に接着剤やテープなどで固着しており、他方の長辺側がハンガー本体２の内部側に突出している。そして、突出部６の突出端、つまり、他方の長辺部分には、上述した挟持部４を２つ備えている。
【００２５】
ここで、挟持部４は、上述した実施形態１と同様に、略Ｕ字状のバネにて形成されている。そして、挟持部４であるＵ字型バネは、その開口部分に突出部６が挿入されるよう配置される。つまり、挟持部４であるＵ字型バネの両端部が下方を向いて、各平面部４１，４２の間に突出部６が位置するよう配置されている。そして、挟持部４であるＵ字型バネの一方の平面部４１の内面が、突出部６に接着剤やテープなどで固着されている（図５（Ｂ）参照）。逆に、他方の平面部４２は、突出部６に固着されておらず、当該突出部６に接した状態となっている。そして、他方の平面部４２を突出部６から離間させるよう付勢すると、曲折部分のバネ力にて、Ｕ字型バネ自体が元の形状に戻るよう、つまり、突出部６側に移動する力が生じる。
【００２６】
また、突出部６は、柔軟性のある部材にて形成されており、曲折可能である。例えば、後述する椅子の背もたれ７の上端部に形成された曲面部分に沿って曲折可能である。
【００２７】
次に、上記ハンガー１を椅子に装着するときの様子を、図５を参照して説明する。まず、椅子の背もたれ７が、図５（Ａ）に示すように、硬い樹脂層７１と、柔らかいスポンジ層７２との２層で構成されていることとする。また、椅子の背もたれ７の上端部に、樹脂層７１とスポンジ層７２との境界（図５（Ａ）の点線矢印参照）が露出していることとする。但し、本実施形態では、上述した実施形態１の場合と異なり、樹脂層７１が背もたれ７の上端部付近で、円弧状に形成されている。
【００２８】
そして、図５（Ｂ）に示すように、上記椅子の背もたれ７の樹脂層７１とスポンジ層７２との境界部分に、上述したハンガー１の挟持部４であるＵ字型バネの突出部６に固着していない他方の平面部４２を、斜め下方に向かって差し込む。すると、挟持部４であるＵ字型バネの一方の平面部４１と他方の平面部４２との間に、当該Ｕ字型バネのバネ力にて、背もたれ７の樹脂層７１が挟持された状態となる。そして、挟持部４であるＵ時型バネの一方の平面部４１は、ハンガー本体２の突出部６と固着しているため、ハンガー１自体を椅子の背もたれ７に装着することができる。
【００２９】
このとき、特に、図５（Ｂ）に示すように、背もたれ７の上端部は曲面形状となっていて、樹脂層７１とスポンジ層７２との境界部分が上端部の中心に位置しているが、樹脂層７１の曲面形状に合わせて、突出部６の挟持部４が装備された突出端側が曲折する。すると、突出部６が固着している連結部２３部分が、背もたれ７の上端部よりやや下方に位置し、背もたれ７の水平方向に対して垂直となっている部分に位置し、ハンガー本体２が垂直方向に向くこととなる。これにより、肩掛け部２１，２２に洋服の肩部分を掛けることができる。
【００３０】
以上のように、ハンガー本体２の連結部２３に突出部６を備えることで、挟持部４の位置設定の自由度が増す。従って、椅子の背もたれ７の上端部の形状に合わせて、当該上端部に設けられた所定の部材を挟持部４で挟持することが容易となり、あらゆる構成の椅子の背もたれ７にハンガー１を取り付けることが可能となる。その結果、さらなる汎用性の向上を図ることができる。
【００３１】
なお、実施形態１と同様に、挟持部４の形状は上述したものに限定されず、また、上記Ｕ字型バネであることに限定されない。また、突出部６は必ずしも柔軟性のある部材にて形成されていることに限定されず、曲折不可能な硬い部材にて形成されていてもよい。
【００３２】
＜実施形態３＞
本考案の第３の実施形態におけるハンガーについて説明する。なお、本実施形態では、上記各実施形態にて説明したハンガーの構成の概略を説明する。
【００３３】
本考案の一形態であるハンガーは、
相互に所定の角度を成して係合し頂角部を形成する２辺で構成された洋服の肩部分を掛ける肩掛け部と、上記各肩掛け部の上記頂角部から所定の距離だけそれぞれ離れた各箇所を相互に連結する連結部と、上記頂角部から上記連結部側とは反対方向に突出して他の部材に引っ掛けるフック部と、を備える。
そして、上記連結部に、上記頂角部とは反対側に開口し、この開口部分に挿入された椅子の背もたれの上端部に設けられた所定の部材を挟持する挟持部を設けている。
【００３４】
また、上記挟持部は、例えば、略Ｕ字形状のバネである。さらに、上記ハンガーでは、上記挟持部の開口部分の最大開口幅は、所定の椅子の背もたれの厚みよりも狭く形成されている。
【００３５】
このように、上記ハンガーは、まず、略二等辺三角形に形成され、頂角部にフック部を備え、一般的なハンガーとして利用可能な構成を備えている。そして、本実施形態では、ハンガーの各肩掛け部を連結する連結部、つまり、底辺に相当する部材に、フック部側とは反対側である下方に向かって開口する挟持部を備えている。この挟持部にて、椅子の背もたれの上端部に設けられた部材を挟持する。例えば、背もたれが硬い樹脂とスポンジ材との２層で構成されている場合には、挟持部の開口に硬い樹脂を挿入して、当該樹脂を狭持部で挟持する。
【００３６】
これにより、椅子の背もたれの上端部に、ハンガーを立設した状態で装着することができ、当該ハンガーに洋服を掛けることができる。そして、このようにすることで、人が背もたれにもたれかかった場合であっても、ハンガーに掛けてある洋服にもたれかかることはなく、洋服にしわが入ることを抑制することができる。また、椅子の背もたれよりも高い位置に上着を掛けることができるため、上着の裾が床面に接することを抑制し、当該裾が汚れることを抑制することができる。その結果、フック部を利用してクローゼットなどで通常のハンガーとして使用することができると共に、椅子に装着して当該椅子に着座した時に利用するハンガーとしても利用することができ、低コストで汎用性の高いハンガーを提供することができる。
【００３７】
また、上記ハンガーでは、上記連結部に、当該連結部から上記頂角部側に突出する突出部を備えると共に、上記突出部の突出端に上記挟持部を設ける、という構成を採っていてもよい。そして、上記突出部は、曲折可能な柔軟性のある部材にて形成されていてもよい。
【００３８】
以上のように、連結部に突出部を備え、その突出端に挟持部を設けることで、当該挟持部の位置設定の自由度が増す。従って、椅子の背もたれの上端部の形状に合わせて、当該上端部に設けられた所定の部材を挟持部で挟持することが容易となり、あらゆる構成の構成、形状の背もたれに、ハンガーを取り付けることが可能となる。その結果、さらなる汎用性の向上を図ることができる。
【産業上の利用可能性】
【００３９】
本考案は、クローゼット内などに吊り下げたり、椅子の背もたれに装着するなどして、洋服を掛けるハンガーとして利用することができ、産業上の利用可能性を有する。
【符号の説明】
【００４０】
１  ハンガー
２  ハンガー本体
２１，２２  肩掛け部
２３  連結部
２４  頂角部
３  フック部
４  挟持部
４１，４２  平面部
５，７  椅子の背もたれ
５１，７１  樹脂層
５２，７２  スポンジ層
６  突出部
【図１】
0003153967.tif 000003
【図２】
0003153967.tif 000004
【図３】
0003153967.tif 000005
【図４】
0003153967.tif 000006
【図５】
0003153967.tif 000007